(57)【特許請求の範囲】
【請求項１】
一対の第1の接点部（３６，２６）を有する第1の接触子（１０）と一対の第２の接点部（３６，２６）を有する第２の接触子（１１）を接近させ、前記一対の第１の接点部（３６，２６）を前記第２の接触子（１１）に接触させるとともに前記一対の第２の接点部（３６，２６）を前記第１の接触子（１０）に接触させて前記第１の接触子（１０）と第２の接触子（１１）を電気的に接続するコネクタ用接触子対（１０，１１）であって、
前記第１と第２の接触子（１０，１１）はそれぞれ、基部（１２）と、他方の接触子に対する接近方向に向けて前記基部（１２）から伸びる第１の接触部（２０）と、前記第１の接触部（２０）と前記接近方向と直交する方向に離間し、前記接近方向に伸びる第２の接触部（３０）と、前記第１の接触部（２０）と第２の接触部（３０）を連結するとともに前記接近方向から見たときに前記第１の接触部（２０）と第２の接触部（３０）と共にコ字形状をなす連結部（１６）と、前記接近方向に関して前記第１の接触部（２０）の先端部から前記接近方向に向けて伸びる第１のアーム部（２４）と、前記接近方向から見た状態で前記第１のアーム部（２４）に対して斜めに対向する位置に設けられ、前記接近方向に関して前記第２の接触部（３０）の先端部から前記接近方向に向けて伸びる第２のアーム部（３４）と、前記第１のアーム部（２４）に設けられると共に前記第１の接触部（２０）と略同一平面上に位置する第１の接点部（２６）と、前記第２のアーム部（３４）に設けられると共に前記第２の接触部（３０）と略同一平面上に位置する第２の接点部（３６）を備えており、
前記第１と第２の接触子（１０，１１）はそれぞれ、前記第１と第２の接触子（１０，１１）を接近させたとき、前記第１と第２の接触子（１０，１１）の第１の接点部（２６）と第２の接点部（３６）が、他方の接触子（１１，１０）の第１の接触部（２０）と第２の接触部（３０）の前記コ字形状の内面にそれぞれ弾性接触し、または、前記第１と第２の接触子（１０，１１）の第１の接点部（２６）と第２の接点部（３６）が、他方の接触子（１１，１０）の第２の接触部（３０）と第１の接触部（２０）の前記コ字形状の内面にそれぞれ弾性接触するようにコネクタに組み込まれることを特徴とするコネクタ用接触子対。
【請求項２】
前記第１の接触部（２０）と第２の接触部（３０）の前記接近方向の先端部は、前記接近方向に向けて先細りになるように、前記内面が傾斜していることを特徴とする請求項１のコネクタ用接触子対。
【請求項３】
前記第１のアーム部（２４）と第２のアーム部（３４）の先端部はそれぞれ外側に向けて突状に湾曲しており、この湾曲面に第１の接点部（２６）と第２の接点部（３６）が形成されていることを特徴とする請求項１または２のコネクタ用接触子対。
【請求項４】
請求項１〜３のいずれかのコネクタ用接触子対を備えた雌雄コネクタ対であって、前記第１の接触子（１０）が組み込まれた第１のコネクタと、前記第２の接触子（２０）が組み込まれた第２のコネクタを有することを特徴とする雌雄コネクタ対。
【請求項５】
２つの接触子（１０，１１，１３）を互いに接近させて電気的に接続する電気的接続における、前記２つの接触子の少なくとも一方の接触子は、
基部（１２）と、
前記一方の接触子が他方の接触子に向けて接近する接近方向に向けて前記基部（１２）から伸びる第1の接触部（２０）と、
前記第1の接触部（２０）から前記接近方向と直交する方向に離間した第２の接触部（３０）と、
前記第１の接触部（２０）と第２の接触部（３０）を連結するとともに前記接近方向から見たときに前記第１の接触部（２０）と第２の接触部（３０）と共に略コ字形状をなす連結部（１６）と、
前記接近方向に関して前記第１の接触部（２０）の先端部から前記接近方向に向けて伸びる第１のアーム部（２４）と、
前記接近方向から見た状態で前記第１のアーム部（２４）に対して斜めに対向する位置に設けられ、前記接近方向に関して前記第２の接触部（３０）の先端部から前記接近方向に向けて伸びる第２のアーム部（３４）と、
前記第１のアーム部（２４）に設けられると共に前記第１の接触部（２０）と略同一平面上に位置する第１の接点部（２６）と、
前記第２のアーム部（３４）に設けられると共に前記第２の接触部（３０）と略同一平面上に位置する第２の接点部（３６）を備えたことを特徴とする接触子。
【発明の詳細な説明】
【０００１】
【発明の属する技術分野】
本発明は、一般に、コネクタ用接触子に関する。本発明は、詳細には、一方の接触子が、上下１８０度反転された位置及び左右１８０度反転された位置の双方で、他方の接触子に電気的に接続されるコネクタ用接触子対に関する。本発明は、特に、雌雄同形のコネクタ用接触子対に関する。
【０００２】
【従来の技術】
同一形状をして雌雄の区別がないコネクタ用接触子対が、実開平２−８４２７３号公報に開示されている。一対の接触子１１０，１１１は、それぞれ、図１（Ａ）に示すように、基部１１２の先端から長手方向に延在して、上方に大きく湾曲した上アーム部１３４及び下方に大きく湾曲した下アーム部１２４を備えている。上アーム部１３４及び下アーム部１２４の接点部１３６，１２６は、それぞれ、基部１１２に対して弾性的に支持されている。
【０００３】
上記構造では、図１（Ｂ）に示すように、他方の接触子１１１を上下方向に１８０度反転させて、上下に１８０度反転した他方の接触子１１１を一方の接触子１１０に弾性的に係合させている。すなわち、上下に１８０度反転した他方の接触子１１１の下アーム部１２４及び上アーム部１３４が、一方の接触子１１０の基部１１２の上面及び下面に対してそれぞれ弾性的に且つ電気的に接触している。
【０００４】
この場合、図１より明らかなように、一方の接触子１１０の上アーム部１３４及び下アーム部１２４による下向き押圧力及び上向き押圧力が他方の接触子１１１の基部１１２に同時に負荷される。上下方向の押圧力がせん断力となって、他方の接触子１１１の基部１１２はねじれ易くなる。その結果、一方の接触子１１０と他方の接触子１１１との接触力が経時的に弱まって、電気的接触不良が起こりやすいという不具合がある。
【０００５】
【発明が解決しようとする課題】
したがって、本発明の技術的課題は、安定して電気的に接触するコネクタ用接触子対を提供することである。
【０００６】
本発明のさらなる技術的課題は、雌雄同形のコネクタ用接触子対を提供することである。
【０００７】
【課題を解決するための手段・作用・効果】
上記技術的課題を解決するために、本発明に係るコネクタ用接触子対及びこのコネクタ用接触子対を備えた雌雄コネクタ対は、一対の第1の接点部を有する第1の接触子と一対の第２の接点部を有する第２の接触子を接近させ、前記一対の第１の接点部を前記第２の接触子に接触させるとともに前記一対の第２の接点部を前記第１の接触子に接触させて前記第１の接触子と第２の接触子を電気的に接続するコネクタ用接触子対であって、前記第１と第２の接触子はそれぞれ、基部と、他方の接触子に対する接近方向に向けて前記基部から伸びる第１の接触部と、前記第１の接触部と前記接近方向と直交する方向に離間し、前記接近方向に伸びる第２の接触部と、前記第１の接触部と第２の接触部を連結するとともに前記接近方向から見たときに前記第１の接触部と第２の接触部と共にコ字形状をなす連結部と、前記接近方向に関して前記第１の接触部の先端部から前記接近方向に向けて伸びる第１のアーム部と、前記接近方向から見た状態で前記第１のアーム部に対して斜めに対向する位置に設けられ、前記接近方向に関して前記第２の接触部の先端部から前記接近方向に向けて伸びる第２のアーム部と、前記第１のアーム部に設けられると共に前記第１の接触部と略同一平面上に位置する第１の接点部と、前記第２のアーム部に設けられると共に前記第２の接触部と略同一平面上に位置する第２の接点部を備えており、前記第１と第２の接触子はそれぞれ、前記第１と第２の接触子を接近させたとき、前記第１と第２の接触子の第１の接点部と第２の接点部が、他方の接触子の第１の接触部と第２の接触部の前記コ字形状の内面にそれぞれ弾性接触し、または、前記第１と第２の接触子の第１の接点部と第２の接点部が、他方の接触子の第２の接触部と第１の接触部の前記コ字形状の内面にそれぞれ弾性接触するようにコネクタに組み込まれることを特徴とする。
【０００８】
本発明に係る接触子は、２つの接触子を互いに接近させて電気的に接続する電気的接続における、前記２つの接触子の少なくとも一方の接触子であって、基部と、前記一方の接触子が他方の接触子に向けて接近する接近方向に向けて前記基部から伸びる第1の接触部と、前記第1の接触部から前記接近方向と直交する方向に離間した第２の接触部と、前記第１の接触部と第２の接触部を連結するとともに前記接近方向から見たときに前記第１の接触部と第２の接触部と共に略コ字形状をなす連結部と、前記接近方向に関して前記第１の接触部の先端部から前記接近方向に向けて伸びる第１のアーム部と、前記接近方向から見た状態で前記第１のアーム部に対して斜めに対向する位置に設けられ、前記接近方向に関して前記第２の接触部の先端部から前記接近方向に向けて伸びる第２のアーム部と、前記第１のアーム部に設けられると共に前記第１の接触部と略同一平面上に位置する第１の接点部と、前記第２のアーム部に設けられると共に前記第２の接触部と略同一平面上に位置する第２の接点部を備えたことを特徴とする。
【０００９】
上記構成のコネクタ用接触子対において、例えば、上下方向に１８０度反転した一方の接触子は、他方の接触子に対して対向配置される。上下に１８０度反転した一方の接触子を他方の接触子に向けて摺動させて他方の接触子に係合させる。このとき、上下に１８０度反転した一方の接触子の下アーム部と上アーム部が、それぞれ、他方の接触子における上接触部の下面及び下接触部の上面に対して弾性的に且つ電気的に接触している。すなわち、一方の接触子及び他方の接触子からなる接触子対は、少なくとも２箇所で電気的に接続されている。したがって、一方の接触子及び他方の接触子の間では、確実な電気的接続が得られる。
【００１０】
一方の接触子の接点が他方の接触子の接触部と係合するときに、適度のバネ力で弾性支持された接点が他方の接触子の接触部の表面を擦ることによって、一方の接触子の接点及び他方の接触子の接触部の両表面に形成され又は付着した非常に薄い高抵抗の被膜が剥ぎ取られる（いわゆるワイピング効果）。その結果、接触子の内側に存する低抵抗の清浄な表面が露出する。したがって、低抵抗の清浄表面が露出した一方の接触子及び他方の接触子同士が接触することによって、一方の接触子及び他方の接触子間で安定した低抵抗な電気的接続が得られる。
【００１１】
同様にして、一方の接触子を左右方向に１８０度反転させて、左右に１８０度反転した一方の接触子を他方の接触子に係合させることができる。このとき、左右に１８０度反転した一方の接触子の下アーム部及び上アーム部が、それぞれ、他方の接触子における下接触部の上面及び上接触部の下面に対してそれぞれ弾性的に且つ電気的に接触する。すなわち、一方の接触子及び他方の接触子からなる接触子対は、少なくとも２箇所で電気的に接続される。したがって、一方の接触子及び他方の接触子の間で安定した低抵抗な電気的接続が得られる。
【００１２】
したがって、上下又は左右の両方向において、１８０度反転した一方の接触子が他方の接触子に係合して、一対の接触子間で安定した低抵抗な電気的接続が得られる。
【００１３】
本発明に係る雌雄コネクタは、雌雄同形のコネクタ用接触子対を備えており、各接触子は、例えば基部に支持された上接触部及び下接触部が上下に離間配置され、前記上接触部及び下接触部のそれぞれから先端に向けて上アーム部及び下アーム部が延在し、上アーム部と下アーム部とが対角配置するように構成されてなり、一方の接触子の上アーム部及び下アーム部が、それぞれ、他方の接触子の上接触部及び下接触部に対して、弾性的に且つ電気的に接触することを特徴とする。
【００１４】
上記構成によれば、上述したコネクタ用接触子対と同様に、上下又は左右の両方向で１８０度反転した一方の接触子が、他方の接触子に弾性的に係合して、一対の接触子間で電気的接続が得られる。このとき、接触子対では、４つのアーム部が対応する接触部に対して押圧することで、４箇所で電気的に接続されており、接触子対間でより確実な電気的接続が得られる。
【００１５】
上アーム部及び下アーム部の各先端側には、上接点部及び下接点部がそれぞれ設けられており、該上接点部及び下接点部は、それぞれ、上接触部及び下接触部に対して略同一平面上に位置する。
【００１６】
上記構成によれば、アーム部が係合すべき接触板部に対して対向配置されたあと、アーム部が対向配置された接触部に近づけて係合するときに、アーム部の接点部と対向する接触部との間に段差がほとんど無いので、アーム部の接点部が対向する接触部に対してスムーズに係合する。そして、アーム部は、接触部に対して適度な弾性力で当接する。
【００１７】
上接点部及び下接点部は、突起体がそれぞれ上アーム部及び下アーム部の上に設けられた構成とすることもできる。上接点部及び下接点部は、それぞれ、上アーム部及び下アーム部を湾曲させることによって、上アーム部の上面及び下アーム部の下面に形成される。上記構成によれば、上下の接点部の形成が容易になる。
【００１８】
上接触部及び下接触部の各先端部は、その内面側が先細に傾斜していることが好ましい。上記構成によれば、アーム部の接点部が接触板部の先細傾斜内面に案内されるので、接触子同士がスムーズに係合することができる。
【００１９】
【発明の実施の形態】
以下に、本発明の一実施形態に係る、一対の導電性接触子群１，２について、図２〜４を参照しながら詳細に説明する。
【００２０】
図２は、第１接触子群１及び第２接触子群２を示す斜視図である。第１接触子群１及び第２接触子群２は、それぞれ第１接触子１０及び第２接触子１１を少なくとも一つ含んでなり、好ましくは、第１接触子１０及び第２接触子１１という２種類の接触子が交互に整列配置されたものの集合体である。なお、第１接触子１０及び第２接触子１１は、一方の接触子及び他方の接触子の両方に対応している。
【００２１】
第１接触子１０及び第２接触子１１は、例えば銅合金等の導電性を有する金属材料からなり、多段に折り曲げられている。すなわち、第１接触子１０及び第２接触子１１は、基部１２と、基部１２に略直交するように連なるＵ字圧接部１４と、基部１２からＵ字圧接部１４の反対側に延在する下接触部２０と、基部１２から連結部１６を介して下接触部２０の上方に配置された上接触部３０とを備えている。したがって、第１接触子１０及び第２接触子１１は、Ｕ字圧接部１４の方すなわち正面から見ると、大略「コ」の字形状をしており、又、雌雄のいずれにも使用できる形状をしている。
【００２２】
なお、第１接触子１０及び第２接触子１１では、その基部１２の長さを変えることによって、Ｕ字圧接部１４が千鳥状に配置されている。その一方で、下接触部２０及び上接触部３０の位置は変化していない。このように、Ｕ字圧接部１４が千鳥状に配置されているのは、隣接するＵ字圧接部１４同士の重なり合いを防止して、Ｕ字圧接部１４に圧接されるケーブルの配線ピッチを小さくするためである。したがって、不図示であるが、当然に、１種類の導電性接触子のみを整列配置した構成にすることもできる。
【００２３】
Ｕ字圧接部１４はその中央部にスリットを有する。該スリットに対してケーブル中の導電体が圧接されて、Ｕ字圧接部１４及びケーブル中の導電体が電気的に接続される。
【００２４】
基部１２に対して片持ち支持されている下接触部２０は、下接触板部２２と該下接触板部２２から先端に向けて延在する下アーム部２４とを有する。下接触板部２２の先端部は、その内面側が先細に傾斜している。下アーム部２４は、下接触板部２２に対して弾性的に支持されている。下アーム部２４は、波状に屈曲されて先端側に下接点部２６を有する。下接点部２６は、下アーム部２４の下面上に形成され、下接触板部２２と略同一平面上に位置している。
【００２５】
連結部１６を介して基部１２に対して片持ち支持されている上接触部３０は、上接触板部３２と該上接触板部３２から先端に向けて延在する上アーム部３４とを有する。上接触板部３２の先端部は、その内面側が先細に傾斜している。上アーム部３４は、上接触板部３２に対して弾性的に支持されている。上アーム部３４は、波状に屈曲されて先端側に上接点部３６を有する。上接点部３６は、上アーム部３４の上面上に形成され、上接触板部３２と略同一平面上に位置している。
【００２６】
上記の第１接触子１０及び第２接触子１１が交互に配列された接触子群１，２は、不図示の雌雄同形のコネクタに組込まれる。雌雄同形のコネクタは、絶縁性の樹脂材料（例えば、ＰＢＴ、ＰＣＴ、ＰＡ６６、ＰＡ６、ＬＣＤ、ナイロン等の工業用プラスチック）を射出成形することによって製造される。雌雄同形の第１コネクタに第１接触子群１が組込まれている。また、雌雄同形の第２コネクタに第２接触子群２が組込まれている。
【００２７】
図３及び４を参照しながら、第１接触子群１と第２接触子群２との係合及び接続に関する第１実施形態について説明する。なお、図３及び４において、第１接触子群１と第２接触子群２との係合状態がよく分かるように、雌雄同形の第１コネクタ及び第２コネクタからなるコネクタ対は、省略のために不図示である。
【００２８】
図３（Ａ）のように、不図示の第２コネクタを上下方向に１８０度反転させて、上下に１８０度反転した第２コネクタを不図示の第１コネクタに対向配置すると、上下に１８０度反転した第２接触子群２が第１接触子群１に対して対向配置されている。図３（Ｂ）のように、上下に１８０度反転した第２接触子群２を第１接触子群１に接近させる。さらに第２接触子群２を第１接触子群１に接近させると、図４のように、上下に１８０度反転した第２接触子群２が第１接触子群１の上を摺動して第１接触子群１に係合する。このとき、例えば、上下に１８０度反転した第２接触子群２における第１接触子１０の下アーム部２４の下接点部２６及び上アーム部３４の上接点部３６が、それぞれ、第１接触子群１における第１接触子１０の上接触板部３２の下面及び下接触板部２２の上面に対してそれぞれ弾性的に且つ電気的に接触している。すなわち、第２接触子群２における一つの第１接触子１０と第１接触子群１における一つの第１接触子１０からなる一つの接触子対は、４箇所で電気的に接続されている。したがって、第１接触子群１及び第２接触子群２の各接触子の間では、確実な電気的接続が得られる。
【００２９】
上記構成において、接点部２６，３６は、対向する接触板部２２，３２に対して略同一平面上に位置して段差がないので、アーム部２４，３４の接点部２６，３６が対向する接触板部２２，３２に対して適度な弾性力でスムーズに係合する。一方の接触子のアーム部２４，３４の接点部２６，３６が他方の接触子の接触板部２２，３２の先細傾斜内面に案内されるので、アーム部２４，３４と接触板部２２，３２との係合がスムーズである。また、第２接触子群２を第１接触子群１の基部１２の方向に向けて摺動させることによって、各接触子１０，１１の接触部分の表面がワイピングされて、清浄な面が露出する。したがって、第１接触子１０及び第２接触子１１は、それぞれ、低抵抗の電気的接触面を有する。
【００３０】
次に、上記第１接触子群１及び第２接触子群２の第２実施形態について、図５及び６を参照しながら詳細に説明する。
【００３１】
図５に示した一対の第１接触子群１及び第２接触子群２は、第１実施形態で示したものと同じものであるので、第１接触子群１，第２接触子群２の構成についての説明を省略する。第１実施形態と異なっているのは、第１接触子群１と第２接触子群２との係合形態である。
【００３２】
すなわち、第２接触子群２を左右方向に１８０度反転させて、左右に１８０度反転した第２接触子群２を第１接触子群１に対して対向配置する（図５（Ａ）を参照）。そして、左右に１８０度反転した第２接触子群２を対向配置された第１接触子群１に接近させる（図５（Ｂ）及び図６を参照）。さらに、第２接触子群２を第１接触子群１に接近させると、第２接触子群２が第１接触子群１に係合する。このとき、左右に１８０度反転した第２接触子群２における第２接触子１１の下アーム部２４の下接点部２６及び上アーム部３４の上接点部３６が、それぞれ、対向配置された第１接触子群１における第１接触子１０の下接触板部２２の上面及び上接触板部３２の下面に対してそれぞれ弾性的に且つ電気的に接触する。すなわち、第２接触子群２の第２接触子１１と第１接触子群１の第１接触子１０とからなる一対の接触子は、４箇所で電気的に接続される。他の接触子対においても、同様に４箇所で電気的に接続される。したがって、第１接触子群１及び第２接触子群２の各接触子の間では、確実な電気的接続が得られる。
【００３３】
また、第２接触子群２を第１接触子群１の基部側に向けて摺動させることによって、各接触子と接触板部との接触部分の表面がワイピングされて、清浄な面が露出する。したがって、第１接触子１０及び第２接触子１１は、それぞれ、低抵抗の電気的接触面を有する。
【００３４】
次に、上記第１接触子群１及び上記第２接触子群２とは異なった形状の第３接触子群３を用いた第３実施形態について、図７を参照しながら詳細に説明する。
【００３５】
図７に示した第１接触子群１は第１実施形態で示したものと同じものであるので、第１接触子群１の構成についての説明を省略する。第１実施形態と異なっているのは、第３接触子群３の構成である。
【００３６】
図７に示すように、第３接触子群３では、１種類の第３接触子１３が整列配置されている。第３接触子１３は、例えば銅合金等の導電性を有する金属材料からなり、多段に折り曲げられている。すなわち、第３接触子１３は、基部１２と、基部１２から延在する下接触部２０と、基部１２から連結部１６を介して下接触部２０の上方に配置された上接触部３０とを備えている。したがって、第３接触子１３を基部１２の方から見ると、第３接触子１３は大略「コ」の字形状をしている。
【００３７】
第３接触子１３の基部１２は、半田付け等によってケーブル中の導電体と電気的に接続される。基部１２に対して片持ち支持されている下接触部２０及び上接触部３０は、それぞれ、下接触板部２２及び上接触部３２を有する。下接触板部２２及び上接触部３２の先端部は、その内面側が先細に傾斜している。なお、第１接触子１０及び第３接触子１３は、一方の接触子及び他方の接触子の両方に対応している。
【００３８】
すなわち、第１接触子群１を上下方向に１８０度反転させて、上下に１８０度反転した第１接触子群１を第３接触子群３に対して対向配置する（図７（Ａ）を参照）。そして、上下に１８０度反転した第１接触子群１を対向配置された第３接触子群３に接近させる（図７（Ｂ）を参照）。さらに、第１接触子群１を第３接触子群３に接近させると、第１接触子群１が第３接触子群３に係合する。このとき、上下に１８０度反転した第１接触子群１における第１接触子１０の下アーム部２４の下接点部２６及び上アーム部３４の上接点部３６が、それぞれ、対向配置された第３接触子群３における第２接触子３の上接触板部３２の下面及び下接触板部２２の上面に対してそれぞれ弾性的に且つ電気的に接触する。すなわち、第１接触子群１の第１接触子１０と第３接触子群３の第３接触子１３とからなる一対の接触子は、２箇所で電気的に接続される。他の接触子対においても、同様に２箇所で電気的に接続される。したがって、第１接触子群１及び第３接触子群３の各接触子の間では、確実な電気的接続が得られる。
【００３９】
また、不図示であるが、第１接触子群１及び第３接触子群３は、第１接触子群１を左右方向に１８０度反転させて、左右方向に１８０度反転した第１接触子群１を対向配置された第３接触子群３に対して係合させて接続するという形態をとることもできる。
【００４０】
なお、上記のいずれの実施形態の説明においても、上接触部３０は、基部１２から延在する連結部１６を介して下接触部２０に連なっている。すなわち、基部１２と下接触部２０とが一つの板材として形成されている。しかしながら、例えば、連結部１６の略中央部分の一端から基部１２が延在するとともに、連結部１６の略中央部分の他端が上端部および下端部に分かれて、該上端部および下端部からそれぞれ上接触部３０及び下接触部２０が連なるように構成することもできる。
【００４１】
第１接触子及び第２接触子では、ケーブル中の導電体がＵ字圧接部を介して接触子に圧接して電気的に接続されているが、第３実施形態に係る第３接触子のようにケーブル中の導電体が半田付け等によって電気的に接続することができる。
【００４２】
また、コネクタの形状は、コネクタの製造コスト等の観点から、雌雄の区別がない同一形状であることが好ましい。しかしながら、本発明に係るコネクタ用接触子対構造は、雌雄の区別をした雌コネクタ及び雄コネクタにおいても適用可能である。なお、本明細書において、接触子群の範囲には、複数の接触子からなる場合に限らず、一つの接触子からなる場合も含む。
【図面の簡単な説明】
【図１】  従来の接触子を示し、（Ａ）は斜視図、（Ｂ）は（Ａ）の接触子同士が係合している状態を示す側面図である。
【図２】  本発明の第１実施形態に係る接触子群を示す斜視図である。
【図３】  図２に示した接触子対が上下反転状態で係合する様子を示す斜視図である。（Ａ）は、上下反転状態の第２接触子群が第１接触子群に対向配置されていることを示す斜視図である。（Ｂ）は、第１接触子群と第２接触子群とが係合する直前の状態を示す斜視図である。
【図４】  図３に示した第１接触子群と第２接触子群とが係合した状態を示す斜視図である。
【図５】  第２実施形態に係る、接触子対が左右反転状態で係合する様子を示す斜視図である。（Ａ）は、左右反転状態の第２接触子群が第１接触子群に対向配置されていることを示す斜視図である。（Ｂ）は、第１接触子群と第２接触子群とが係合する直前の状態を示す斜視図である。
【図６】  図５（Ｂ）における係合直前の接触子対を別の角度から見た斜視図である。
【図７】  第３実施形態に係る、第１接触子群と第２接触子群とが上下反転状態で係合する様子を示す斜視図である。（Ａ）は、上下反転状態の第１接触子群が第２接触子群に対向配置されていることを示す斜視図である。（Ｂ）は、第１接触子群と第２接触子群とが係合する直前の状態を示す斜視図である。（Ｃ）は、第１接触子群と第２接触子群とが係合した状態を示す斜視図である。
【符号の説明】
１：第１接触子群
２：第２接触子群
３：第３接触子群
１０：第１接触子
１１：第２接触子
１２：基部
１３：第３接触子
１４：Ｕ字圧接部
１６：連結部
２０：下接触部
２２：下接触板部
２４：下アーム部
２６：下接点部
３０：上接触部
３２：上接触板部
３４：上アーム部
３６：上接点部
【図１】
0004138303.tif 000002
【図２】
0004138303.tif 000003
【図３】
0004138303.tif 000004
【図４】
0004138303.tif 000005
【図５】
0004138303.tif 000006
【図６】
0004138303.tif 000007
【図７】
0004138303.tif 000008